(57)【要約】【課題】蓋の開閉を施錠できるとともに，施錠している状況でもその施錠部材が外部から大きく目立つことのない位置に配置される廃棄物収容容器を提供すること。【解決手段】本発明は，上部が開口部である容器本体４と，容器本体４の開口部を塞ぐ開閉可能な蓋５とを有する廃棄物収容容器を対象とする。本発明の廃棄物収容容器はさらに，容器本体４の開口部の縁辺に対し外向きに張り出した上縁部１１と，上縁部１１の外側から下向きに形成された折り返し壁部１２とを有している。蓋５には，開閉動作を許容する解錠状態と開閉動作を禁止する施錠状態とを取る施錠部材１７が備えられている。上縁部１１には，蓋５の開閉動作に際して，解錠状態での施錠部材１７の通過を許容し施錠状態での施錠部材１７の通過を禁止する挿入口１４が形成されている。【選択図】図１２
2019031343.tif 000002
【特許請求の範囲】
【請求項１】
上部が開口部となっており内部に廃棄物を収容する容器本体と，前記容器本体の開口部を上方で塞ぐ開閉可能な蓋とを有する廃棄物収容容器であって，
前記容器本体の開口部の縁辺の少なくとも一部に対し外向きに張り出した形状の上縁部と，
前記上縁部の外側から下向きに形成された折り返し壁部とを有し，
前記蓋には，開閉動作を許容する解錠状態と開閉動作を禁止する施錠状態とを取る施錠部材が備えられており，
前記上縁部には，前記蓋の開閉動作に際して，解錠状態での前記施錠部材の通過を許容し施錠状態での前記施錠部材の通過を禁止する挿入口が形成されていることを特徴とする廃棄物収容容器。
【請求項２】
請求項１に記載の廃棄物収容容器であって，
前記蓋には，閉じた状態で前記折り返し壁部の外側に重なる裾壁部が形成されており，  前記裾壁部には，前記施錠部材の解錠状態と施錠状態との切替操作を外部から行うための施錠操作部が，操作面を外向きに向けて取り付けられていることを特徴とする廃棄物収容容器。
【請求項３】
請求項１または請求項２に記載の廃棄物収容容器であって，
前記蓋は，閉じた状態では前記挿入口をも覆うものであり，
前記施錠部材は，
前記蓋を閉じた状態ではその全部が，前記上縁部より下側かつ前記折り返し壁部より内側の空間内に位置するように，
前記蓋のうち，閉じた状態で前記挿入口を覆う部分に取り付けられていることを特徴とする廃棄物収容容器。
【請求項４】
請求項１から請求項３までのいずれか１つに記載の廃棄物収容容器であって，
前記挿入口は，前記上縁部のみならず前記折り返し壁部にも及んで形成されており，
前記蓋は，閉じた状態では前記挿入口を，そのうち前記折り返し壁部を開口した部分である縦部をも含めて覆うものであり，
前記施錠部材は，前記蓋のうち，閉じた状態で前記縦部を覆う部分に取り付けられていることを特徴とする廃棄物収容容器。
【請求項５】
請求項１から請求項４までのいずれか１つに記載の廃棄物収容容器であって，
前記蓋には，外部からの解錠状態と施錠状態との切替操作により前記施錠部材を揺動動作させる施錠軸が，側方から見て横方向に設けられており，
前記施錠部材は，
前記施錠軸に対して角度を付けて設けられた部材であるとともに，
解錠状態にて前記施錠軸から下向きとなり，
施錠状態にて前方から見て前記施錠軸から横向きとなるものであることを特徴とする廃棄物収容容器。
【請求項６】
請求項５に記載の廃棄物収容容器であって，
前記上縁部のうち，前記蓋を閉じてかつ施錠状態にした状態での前記施錠部材と対面する範囲内の裏面に，補強形状部が形成されていることを特徴とする廃棄物収容容器。
【請求項７】
請求項１から請求項６までのいずれか１つに記載の廃棄物収容容器であって，
前記折り返し壁部の下端のうち前記挿入口に対応する範囲を含む範囲，および前記蓋の縁辺のうち前記施錠部材に対応する範囲を含む範囲にそれぞれ，他の範囲よりも下向きに延長された施錠部材保護部が形成されていることを特徴とする廃棄物収容容器。
【発明の詳細な説明】
【技術分野】
【０００１】
本発明は，廃棄物の投入を受け入れて，投入された廃棄物を収容する廃棄物収容容器に関する。さらに詳細には，蓋を閉じて廃棄物の投入を規制するとともに，収容した廃棄物を除去するために蓋を開くことができるようになっている廃棄物収容容器に関するものである。
【背景技術】
【０００２】
従来の廃棄物収容容器の一例として，特許文献１に記載されているものを挙げることができる。同文献の図１に記載されている「ボックス本体１」には，「ダスト投入口２」が形成されている。そして「蓋体３」により，「ダスト投入口２」を閉じたり（同文献の図４）開いたり（同文献の図１）できるようになっている。さらに，この「ボックス本体１」には，「錠前９」が設けられている。これにより，「蓋体３」を閉じたままとすることができるようになっている。不法投棄の防止のためである。
【先行技術文献】
【特許文献】
【０００３】
【特許文献１】特開２０１０−２３５２９９号公報
【発明の概要】
【発明が解決しようとする課題】
【０００４】
しかしながら前記した従来の技術においては，次のような問題点があった。すなわち，「錠前９」が「ボックス本体１」の外面から突出した，大変に目立つ位置にあることである。このため，「ボックス本体１」を屋外に設置した場合には「錠前９」が直接風雨にさらされることになる。したがって発錆による「錠前９」の劣化が起こりやすい。また，不審者による「錠前９」へのいたずらもなされやすい。また，「ボックス本体１」を施錠状態のまま移動させる場合など，突出している「錠前９」が「ボックス本体１」の運搬作業の邪魔になることもある。さらには，解錠状態では「錠前９」の紛失の懸念もある。
【０００５】
本発明は，前記した従来の技術が有する問題点を解決するためになされたものである。すなわちその課題とするところは，蓋の開閉を施錠できるとともに，施錠している状況でもその施錠部材が外部から大きく目立つことのない位置に配置される廃棄物収容容器を提供することにある。
【課題を解決するための手段】
【０００６】
本発明の一態様における廃棄物収容容器は，上部が開口部となっており内部に廃棄物を収容する容器本体と，容器本体の開口部を上方で塞ぐ開閉可能な蓋とを有する廃棄物収容容器であって，容器本体の開口部の縁辺の少なくとも一部に対し外向きに張り出した形状の上縁部と，上縁部の外側から下向きに形成された折り返し壁部とを有し，蓋には，開閉動作を許容する解錠状態と開閉動作を禁止する施錠状態とを取る施錠部材が備えられており，上縁部には，蓋の開閉動作に際して，解錠状態での施錠部材の通過を許容し施錠状態での施錠部材の通過を禁止する挿入口が形成されているものである。
【０００７】
上記態様における廃棄物収容容器では，蓋を容器本体の上方に置いて，容器本体の開口部を塞いだ閉状態とすることができる。この状態では容器本体への廃棄物の投入が蓋により規制される。一方，蓋を開状態とすれば，廃棄物の投入に対する蓋による規制はない。なお，蓋または容器本体に投入口を設けておくことにより，閉状態でも投入口を経由しての廃棄物の投入のみを許容することができる。施錠部材が解錠状態になっていれば，蓋の開閉動作は自由にできる。施錠部材が挿入口を通過することが許容されているからである。施錠部材を施錠状態にすると，施錠部材が挿入口を通過することができない。このため，蓋を閉じて施錠部材を施錠状態にすることで，蓋を閉じたままとすることができる。
【０００８】
ここで蓋を閉じた状態では，施錠部材は，挿入口より下方，すなわち上縁部より下方に位置する。さしてこの施錠部材よりも容器本体から見て外側の位置に折り返し壁部が位置する。つまり蓋を閉じた状態での施錠部材は，上方が上縁部により仕切られ，前方側が折り返し壁部により仕切られた空間内に位置する。このため，施錠部材が外部から目立ちにくく，雨水も掛かりにくく，外部に突出してもいない。
【０００９】
上記態様の廃棄物収容容器では，蓋には，閉じた状態で折り返し壁部の外側に重なる裾壁部が形成されており，裾壁部には，施錠部材の解錠状態と施錠状態との切替操作を外部から行うための施錠操作部が，操作面を外向きに向けて取り付けられていることが望ましい。このようになっていれば，蓋を閉じた状態での施錠部材は，蓋の一部である裾壁部によっても，外部から覆われ保護された状態となる。また，施錠操作部の操作面が廃棄物収容容器における前面側を向くので，施錠・解錠の操作をやりやすい。
【００１０】
上記のいずれかの態様の廃棄物収容容器ではさらに，蓋は，閉じた状態では挿入口をも覆うものであり，施錠部材は，蓋を閉じた状態ではその全部が，上縁部より下側かつ折り返し壁部より内側の空間内に位置するように，蓋のうち，閉じた状態で挿入口を覆う部分に取り付けられていることが望ましい。このように挿入口が形成されていても，蓋を閉じた状態での施錠部材は，蓋により周囲から保護された状態となる。なお，施錠部材は蓋における当該部分に対して，他の部材を介して間接的に取り付けられているものであってもよい。
【００１１】
上記のいずれかの態様の廃棄物収容容器ではさらに，挿入口が，上縁部のみならず折り返し壁部にも及んで形成されており，蓋は，閉じた状態では挿入口を，そのうち折り返し壁部を開口した部分である縦部をも含めて覆うものであり，施錠部材は，蓋のうち，閉じた状態で縦部を覆う部分に取り付けられていることが望ましい。このように挿入口が前方に大きく形成されていると，蓋の開閉動作が単純な垂直移動でない場合でも，施錠部材と挿入口との干渉が起こりにくい。また，容器本体にポリ袋を装着して使用する場合でも，蓋を閉じる動作や施錠動作によりポリ袋が損傷しにくい。また，このように挿入口が大きく形成されていても，蓋を閉じた状態での施錠部材は，蓋により周囲から保護されている。この場合の施錠部材も，蓋の当該部分に対して間接的に取り付けられているものであってもよい。
【００１２】
上記のいずれかの態様の廃棄物収容容器ではまた，蓋には，外部からの解錠状態と施錠状態との切替操作により施錠部材を揺動動作させる施錠軸が，側方から見て横方向に設けられており，施錠部材は，施錠軸に対して角度を付けて設けられた部材であるとともに，解錠状態にて施錠軸から下向きとなり，施錠状態にて前方から見て施錠軸から横向きとなるものであることが望ましい。このような構成とすることで施錠部材は，操作面から見て廃棄物収容容器の前後方向やや後方よりに配置されることとなる。蓋を閉じた状態ではこの位置は，上縁部や折り返し壁部により保護される位置である。また，操作面での施錠・解錠の操作が施錠軸を経て施錠部材に伝えられ，施錠部材の姿勢が変化することになる。これにより解錠状態と施錠状態との切替がなされる。また，施錠部材は，施錠軸に対して角度を付けて設けられているとともに，解錠状態にて施錠軸から下向きとなるので，蓋の開閉動作の際，施錠部材を容器本体の挿入口に容易に挿入できる。また，解錠状態にて蓋の開閉動作をする際，施錠部材を挿入する容器本体の挿入口を比較的狭くできるので，容器本体の強度が損なわれ難い。
【００１３】
施錠軸を有する態様の廃棄物収容容器ではさらに，上縁部のうち，蓋を閉じてかつ施錠状態にした状態での施錠部材と対面する範囲内の裏面に，補強形状部が形成されていることが望ましい。上縁部の当該範囲は，施錠部材を施錠状態にしたままで蓋の開閉動作をしようとした場合に，施錠部材が当たる範囲である。このため，施錠部材が当たることによるストレスを受けることがある。よって，補強形状部により補強されていることが望ましいのである。また，挿入口が形成されていること自体も容器本体の強度上不利な一面である。この点からも，当該部位が補強形状部により補強されていることが望ましい。
【００１４】
上記のいずれかの態様の廃棄物収容容器ではまた，折り返し壁部の下端のうち挿入口に対応する範囲を含む範囲，および蓋の縁辺のうち施錠部材に対応する範囲を含む範囲にそれぞれ，他の範囲よりも下向きに延長された施錠部材保護部が形成されていることが望ましい。これにより，蓋の開閉を施錠できるとともに，施錠している状況でもその施錠部材が外部から大きく目立つことのない位置に配置される廃棄物収容容器となっている。また，折り返し壁部の下端や蓋の下端から手を差し込んでも施錠部材に手が届きにくいので，施錠部材へのいたずらも防止される。
【発明の効果】
【００１５】
本構成によれば，蓋の開閉を施錠できるとともに，施錠している状況でもその施錠部材が外部から大きく目立つことのない位置に配置される廃棄物収容容器が提供されている。
【図面の簡単な説明】
【００１６】
【図１】実施の形態に係る廃棄物収容容器を示す斜視図である。
【図２】図１の廃棄物収容容器を，容器本体と蓋とを分離した状態で示す斜視図である。
【図３】図２に示される廃棄物収容容器を上下逆さにして示す斜視図である。
【図４】蓋に取り付けられる錠前を示す斜視図である。
【図５】施錠・解錠の操作のための鍵を示す斜視図である。
【図６】蓋への錠前の取付状況を示す断面斜視図である。
【図７】容器本体の前面側を下方から見て示す斜視図である。
【図８】開状態での容器本体と蓋とを示す断面図である。
【図９】図８の状態の廃棄物収容容器における挿入口と施錠部材との位置関係を示す斜視図である。
【図１０】蓋を閉じきる少し前の状態を示す断面図である。
【図１１】蓋を閉じきった状態での斜視図である。
【図１２】蓋を閉じきった状態（解錠状態）での側視断面図である。
【図１３】蓋を閉じきった状態（解錠状態）での背面視断面図である。
【図１４】蓋を閉じきった状態（施錠状態）での背面視断面図である。
【発明を実施するための形態】
【００１７】
以下，本発明を具体化した実施の形態について，添付図面を参照しつつ詳細に説明する。本形態は，図１および図２に示す廃棄物収容容器１０において本発明を具体化したものである。廃棄物収容容器１０は，容器本体４と蓋５とにより構成されている。蓋５は容器本体４に対して脱着可能である。図２の開状態から明らかなように，容器本体４の上部は開口部６となっている。図１の閉状態では当然，容器本体４の開口部６が蓋５で上方から覆われている。
【００１８】
また，蓋５には，投入口７が形成されている。図１の閉状態では，蓋５を開けることなく，投入口７を利用して廃棄物収容容器１０に廃棄物を投入することができる。投入された廃棄物は，容器本体４の内部に収容される。図３に，開状態での廃棄物収容容器１０を下方から見た斜視図を示す。
【００１９】
廃棄物収容容器１０にはさらに，図４で後述する錠前１６が設けられている。ただし，図１中で見えているのは，錠前１６のうち施錠操作部８だけである。また，図２，図３中の蓋５は，錠前１６を取り付ける前の状態のものであり，錠前取付穴１５が見えている。施錠操作部８は，詳細は後述するが，錠前１６の施錠動作および解錠動作を外部から行うための部位である。蓋５を閉じて錠前１６を施錠した状態では，投入口７を経由してのみ，廃棄物収容容器１０に廃棄物を投入することができる。言い替えると施錠した状態では，投入口７を通れるサイズの廃棄物（空き缶，空き瓶等）のみ投入でき，それより大きい廃棄物（家庭からの持ち込みゴミ等）を投入することはできない。
【００２０】
錠前１６は蓋５に設けられている。満杯になった廃棄物収容容器１０から収容物を取り除くときは，錠前１６を解錠した上で図２の開状態とする。なお，図１では施錠されているかいないかの判別はできない。なお，図１にて施錠操作部８が設けられている位置は，廃棄物収容容器１０における前面側の位置である。
【００２１】
廃棄物収容容器１０における施錠のための構成について説明する。廃棄物収容容器１０においては，容器本体４および蓋５にそれぞれ，施錠のための構成が設けられている。
【００２２】
図２に示されるように，容器本体４の上端，すなわち開口部６の縁辺には，外向きに張り出した形状の上縁部１１が形成されている。上縁部１１は，容器本体４の上端に外向きに水平に張り出した鍔状の部分である。そして，上縁部１１のさらに外縁には，下向きに折り返し壁部１２が形成されている。折り返し壁部１２は，容器本体４の本来の壁部１３とほぼ平行な縦向きの壁であり，上縁部１１の外縁から下向きに垂れ下がるように形成されている。そして，上縁部１１の一部に，挿入口１４が形成されている。挿入口１４は，上縁部１１のみならず折り返し壁部１２にも及んで形成されている。挿入口１４が形成されている位置は，図１の閉状態にしたときに施錠操作部８のすぐ内側となる位置である。
【００２３】
蓋５には前述のように錠前１６が取り付けられる。図４に示されるように錠前１６は，前述の施錠操作部８の他に，施錠部材１７と，施錠軸１８とを有している。施錠部材１７は，状態（施錠状態および解錠状態）により姿勢を変える可動部材である。施錠軸１８は，施錠操作部８と施錠部材１７とを接続する部材であり，施錠操作部８から見て廃棄物収容容器１０における奥行き方向に設けられるものである。施錠部材１７は施錠軸１８に対して角度を付けて設けられており，錠前１６は全体として「Ｌ」字状をなしている。
【００２４】
錠前１６では，図５に示す鍵１９を施錠操作部８の鍵穴２０に挿入しているときに限り，施錠部材１７の姿勢を変更することができる。すなわち，鍵１９を鍵穴２０に挿入している状態で鍵１９を水平軸回りに回転させると，施錠部材１７も鍵１９の動きと連動して施錠軸１８の回りに揺動する。図４に示されるように施錠部材１７が下向きになっている状態が解錠状態である。施錠状態での施錠部材１７は施錠軸１８に対して横向き（右向きでも左向きでもよく，両方とも可能でもよい）となる。
【００２５】
錠前１６にはさらに，施錠操作部８より少し内側にワッシャー２１が設けられている。錠前１６は図６に示されるようにして蓋５に取り付けられる。すなわち，蓋５に取り付けられた状態の錠前１６は，蓋５の錠前取付穴１５を貫通している。また，施錠操作部８とワッシャー２１とで蓋５の板面を挟み付けている。なお図６中に描かれている蓋５は，錠前取付穴１５のところで鉛直面により２つに切断したものを上下逆さにして斜めに見ている状態のものである。
【００２６】
なお蓋５は，キャップ部２２と，縁側部２３と，裾壁部２４とを有している。キャップ部２２は，図１の閉状態にて容器本体４の開口部６の上方を覆うドーム状の部分である。前述の投入口７はキャップ部２２に設けられている。縁側部２３は，キャップ部２２の下端から廃棄物収容容器１０における外向きに水平に広がる部分である。図１の閉状態では縁側部２３は，容器本体４の上縁部１１の上に重なっている。裾壁部２４は，縁側部２３の外端から下向きに垂れ下がるように形成された縦方向の壁状の部分である。図１の閉状態では裾壁部２４は，容器本体４の折り返し壁部１２の外側に重なって位置する。
【００２７】
そして図６からも明らかなように，錠前取付穴１５（図２，図３）は裾壁部２４に設けられており，その位置は前述の挿入口１４に重なる範囲内の位置である。この錠前取付穴１５に錠前１６が施錠操作部８を外向き（前向き）にして取り付けられる。また，裾壁部２４のうち，錠前取付穴１５の形成位置を中心とする範囲に，外前垂れ部２５が形成されている。外前垂れ部２５は，裾壁部２４の一部分であるが，縁側部２３からの垂れ下がり量を他の部分より大きくした部分である。同様に容器本体４の折り返し壁部１２の一部分にも，内前垂れ部２６が形成されている。内前垂れ部２６は，折り返し壁部１２のうち，挿入口１４の形成位置を中心とする範囲に設けられている。図１の閉状態では，外前垂れ部２５と内前垂れ部２６とが重なっている。
【００２８】
また，図３に示されるように蓋５には，引っ掛け爪２７が設けられている。引っ掛け爪２７は，裾壁部２４の下端から廃棄物収容容器１０における内向きに突出して設けられた部位である。引っ掛け爪２７は，廃棄物収容容器１０における背面側の位置に設けられている。すなわち，廃棄物収容容器１０を上方から見た形状を略四角形としたとき，裾壁部２４における錠前取付穴１５が設けられている辺と，引っ掛け爪２７が設けられている辺とは，対辺に相当する。
【００２９】
また，図７に示すように，容器本体４の上縁部１１の裏面の一部には，下向きに補強リブ２８が形成されている。補強リブ２８が形成されているのは，廃棄物収容容器１０における前面側であって，挿入口１４に近接する範囲内である。すなわち補強リブ２８は，蓋５を閉めて錠前１６を施錠状態にしたときに，横向きとなった施錠部材１７と対面する範囲内に設けられている。補強リブ２８は，折り返し壁部１２と壁部１３とを結ぶ方向の下向きの堤部である。以上が廃棄物収容容器１０の構成である。
【００３０】
続いて，廃棄物収容容器１０における蓋５の開閉動作を説明する。まず，閉じる動作，すなわち図２の開状態から図１の閉状態への動作を説明する。蓋５を閉じるときにはまず容器本体４および蓋５を，上下正立姿勢にする。すなわち，図３や図６のような倒立姿勢ではなく図２の姿勢とする。錠前１６は解錠状態としておく。そして，蓋５を容器本体４の上方に前後左右の方向を合わせた状態で保持する。そして，蓋５の引っ掛け爪２７を，容器本体４の背面側の折り返し壁部１２の下端に引っ掛ける。
【００３１】
このとき図８の断面図に示すように蓋５は，前面側（図中左側）が背面側（図中右側）よりやや高い傾斜状態にある。この状態では図９に示すように，廃棄物収容容器１０の挿入口１４の上方に錠前１６が位置する。そして解錠状態の施錠部材１７がまさに，挿入口１４の方を向いている。なお図９では，容器本体４と蓋５とのうち蓋５のみ，図６のように切断した状態で示している（図１１も同様）。そしてこの状態での蓋５は図８中にて，引っ掛け爪２７の位置を中心として回転できる状態にある。この状態で蓋５を，前面側が下降していくように引っ掛け爪２７を中心に回転させる動作が，閉じる動作である。
【００３２】
閉じる動作の途中の状態を図１０に示す。図１０に示されるのは，蓋５を閉じきる少し前の時点での容器本体４および蓋５である。図１０の状態では図８の状態と比較して，蓋５の傾斜の程度は相当に軽くなっている。そして，施錠部材１７が図８の状態より下降しており，その先端が挿入口１４に進入している。ただし施錠軸１８はまだ容器本体４の上縁部１１より上方にある。
【００３３】
蓋５を閉じきると，図１１に示すように施錠軸１８が上縁部１１より下方に位置することとなる。蓋５を閉じきった状態での錠前１６の周囲の断面図を図１２に示す。図１２に示されるようにこの状態では施錠部材１７が，上縁部１１より下側かつ折り返し壁部１２より内側の空間内に位置している。上記の閉じる動作において，解錠状態にある施錠部材１７は，容器本体４のどこかに当たることなく挿入口１４に進入していく。したがって閉じる動作はスムーズである。
【００３４】
もし，錠前１６を施錠状態にして閉じる動作を行うと，途中の図１０の状態の辺りで，施錠部材１７が挿入口１４に進入せず，容器本体４の上縁部１１に上から当たってしまう。このため，蓋５をそれ以上さらに下降させることができない。つまり，閉じる動作を完了することができない。よって閉じる動作は，錠前１６を解錠状態とした上で行う必要がある。
【００３５】
図１２の状態での錠前１６およびその周囲の状況を図１３に示す。図１３に示すのは，蓋５が閉じられかつ解錠状態にある状況における，錠前１６およびその周囲を背面側から，すなわち図１２中の右側から見た図である。図１３では，容器本体４および蓋５を，上縁部１１および縁側部２３の位置で切断した断面図として示している。図１２，図１３から分かるように，蓋５の閉状態での錠前１６は，容器本体４の挿入口１４のうち，折り返し壁部１２を刳り抜いた部分である前挿入口３０（縦部）を貫通する配置となっている。このため閉状態での錠前１６は，上縁部１１や縁側部２３より上方に突出した部分を有しない。
【００３６】
このため，図１のように外部から見た状況では錠前１６は，施錠操作部８しか見えていない。すなわちこの状態での施錠部材１７はその全体が，上方が縁側部２３により覆われており，前方が裾壁部２４により覆われている状態にある。よって，廃棄物収容容器１０を屋外に設置した場合でも，施錠部材１７に雨水が直接当たるようなことはあまりない。
【００３７】
また，閉じる動作の途中で施錠部材１７は主として挿入口１４のうち，上縁部１１を刳り抜いた部分である上挿入口２９を通過する。ただしこのときの施錠部材１７の移動は，単純な上下移動ではない。前述のように蓋５の移動が回転移動だからである。しかしそれでも，閉じる動作の途中で施錠部材１７が容器本体４のどこかに当たることはない。挿入口１４が上縁部１１のみならず折り返し壁部１２にも及んで形成されているからである。
【００３８】
続いて，蓋５の開閉動作のうち開く動作，すなわち図１の閉状態から図２の開状態への動作について述べる。開く動作は，前述の閉じる動作の逆の動作である。すなわち，施錠部材１７を解錠状態としたままで，蓋５の前端側を上方に持ち上げればよい。これにより施錠部材１７が挿入口１４から脱出し，開状態となる。この開く動作においても前述の閉じる動作のときと同様に，施錠部材１７が容器本体４のどこかに当たるようなことはない。
【００３９】
次に，閉状態での施錠・解錠動作について説明する。閉状態で鍵１９（図５）を用いて錠前１６を操作することにより，施錠部材１７を図１３に示した解錠状態から図１４の施錠状態にすることができる。図１４の施錠状態では，施錠部材１７が横向きとなっている点で図１３と異なっている。この施錠部材１７の向きのため，図１４の施錠状態からでは上記の開く動作ができない。施錠状態から前述のように蓋５の前端側を上方に持ち上げようとしても，施錠部材１７が上縁部１１の裏面に干渉してしまうからである。このようにして施錠状態では，蓋５を開くことができなくされている。鍵１９により施錠部材１７を解錠状態（図１３）に戻せば，開く動作が再び可能となる。
【００４０】
図１４では，横向きの施錠部材１７が実際に接触しているのは，上縁部１１の裏面に形成されている補強リブ２８である。この補強リブ２８は，容器本体４の上縁部１１を補強する効果を奏するものである。施錠部材１７を施錠状態にしたまま蓋５を開こうとすると，横向きの施錠部材１７が上縁部１１の裏面を下から上向きに押すことになる。しかし本形態では補強リブ２８により上縁部１１が補強されている。このため，施錠部材１７からの圧力が上縁部１１に掛かっても，容器本体４の上縁部１１付近が歪んでしまうことにはならない。
【００４１】
また，容器本体４の上縁部１１および折り返し壁部１２においては，挿入口１４が開けられていること自体，強度的には不利な要因である。しかしながらこの不利も，補強リブ２８の存在により抑制されている。この，挿入口１４が開けられていることに対する折り返し壁部１２の強度面での補強という観点では，内前垂れ部２６が設けられていることも貢献している。同様に蓋５の外前垂れ部２５も，裾壁部２４に錠前取付穴１５が開けられていることによる強度面での不利を抑制している。さらに，蓋５の外前垂れ部２５および容器本体４の内前垂れ部２６は，錠前１６を不審者の手から守ることにも貢献している。外前垂れ部２５や内前垂れ部２６が形成されていることで，その下から手を差し込んでも，錠前１６に届きにくいからである。
【００４２】
また，本形態では前述のように挿入口１４を，上縁部１１と折り返し壁部１２との両方に跨って形成している。このことによる効果がもう１つある。すなわち，容器本体４の内部にポリ袋を設置して使用する場合に，そのポリ袋への施錠部材１７によるストレスが軽くて済むのである。このポリ袋は，容器本体４に投入された廃棄物の回収を容易にするために使用されるものである。すなわち，容器本体４とほぼ同じくらいの大きさのポリ袋を，容器本体４の内部に設置してその状態で蓋５を閉じるのである。このようにすると，廃棄物収容容器１０に投入された廃棄物の回収は，ポリ袋ごと行うことができる。
【００４３】
このようなポリ袋は通常，その開口部の縁辺付近が容器本体４の開口部６で外向きに折り返された状態とされる。その折り返された部分は容器本体４の上縁部１１および折り返し壁部１２に覆い被せられることになる。このため，挿入口１４も，ポリ袋のその折り返し部分で覆われた状態となる。むろん，ポリ袋は柔軟であるため，蓋５を閉じる動作による施錠部材１７の挿入口１４への進入に対する障害となるものではない。
【００４４】
ただし，挿入口１４が上縁部１１のみに形成されているような態様であると，施錠部材１７によるポリ袋の変形量がかなり大きくなる。さらに施錠動作で施錠部材１７が移動すると，その箇所のポリ袋が破れてしまうこともある。ポリ袋がこうして破れても大した支障はないが，廃棄物を回収する作業員としては快いものではない。これに対し本形態では，挿入口１４を折り返し壁部１２にも跨って形成することで，施錠部材１７の進入に対してポリ袋がより容易に追従できるようにしている。このため，施錠動作を行ってもなお，ポリ袋の破れは生じにくい。
【００４５】
以上詳細に説明したように本実施の形態によれば，蓋５の一部に錠前１６を設けるとともに，錠前１６のうち施錠操作部８のみが外面に露出して施錠部材１７が内側に位置するように配置している。そして容器本体４には上縁部１１および折り返し壁部１２を設けるとともに，蓋５を閉じた状態では施錠部材１７が上縁部１１および折り返し壁部１２により区画される空間内に位置するようにしている。その状態で施錠・解錠の動作がなされるようにしている。これにより，蓋５の開閉を施錠できるとともに，施錠している状況でもその施錠部材１７が外部から大きく目立つことのない位置に配置されている廃棄物収容容器１０が実現されている。
【００４６】
このような構成にしたことで，前述の各種の効果の他に，想定外の大きさの廃棄物が投入されにくい廃棄物収容容器１０となっている。施錠状態では，投入口７を通らない大きさの廃棄物の廃棄物収容容器１０への投入ができないからである。また，錠前１６の雨水による劣化も抑制されている。また，解錠状態でも錠前１６は蓋５から分離しないので，錠前１６の紛失の懸念もない。また，錠前１６へのいたずらもしにくい他，施錠状態で廃棄物収容容器１０ごと運搬する場合にも錠前１６が邪魔になることがない。
【００４７】
なお，本実施の形態は単なる例示にすぎず，本発明を何ら限定するものではない。したがって本発明は当然に，その要旨を逸脱しない範囲内で種々の改良，変形が可能である。例えば，蓋５や容器本体４の材質については特に述べなかったが，普通は合成樹脂である。ただし合成樹脂に限定される訳ではなく，薄金属板や陶器でもよい。また，補強リブ２８の形状については，単にその箇所の上縁部１１の肉厚を厚くするだけでもよい。
【００４８】
また，本形態の廃棄物収容容器１０では，投入口７が蓋５に設けられているが，このことは必須ではない。投入口７が容器本体４に形成されていてもよいし，閉状態で蓋５と容器本体４との合わせ目に投入口７が形成される形態であってもよい。また，投入口７の個数は２以上であってもよい。一方，投入口７がない形態であってもよい。このような形態の場合，廃棄物収容容器１０への廃棄物の投入は，蓋５を一旦開いて行うこととなる。この場合，施錠状態では廃棄物収容容器１０への廃棄物の投入が全くできないことになるが，そのようなものでもよい。
【００４９】
また，蓋５の開閉動作の態様にも種々の変形例が考えられる。蓋５の背面側の一辺が容器本体４に対して容易には取り外せないように装着されているものであってもよい。その場合，容器本体４の上縁部１１および折り返し壁部１２，蓋５の縁側部２３および裾壁部２４といった構成は，廃棄物収容容器１０の前面側にのみ設けられていれば十分である。さらにその場合，蓋５自体も，一体ものでもよいし，特許文献１に記載のもののように２つのピースを蝶番状に連結したものであってもよい。
【００５０】
本形態と同様に蓋５が開状態では容器本体４から完全に分離する態様であっても，引っ掛け爪２７は必須ではない。引っ掛け爪２７を設ける替わりに，錠前１６等による施錠機構を前後両側に設けることもできる。引っ掛け爪２７がなく，かつ施錠機構は１箇所だけであっても，折り返し壁部１２や裾壁部２４の上下方向サイズを大きめにしておく等により，施錠状態での蓋５のこじ開け防止は可能である。
【符号の説明】
【００５１】
４    容器本体
５    蓋
６    開口部
８    施錠操作部
１０  廃棄物収容容器
１１  上縁部
１２  折り返し壁部
１４  挿入口
１６  錠前
１７  施錠部材
１８  施錠軸
２４  裾壁部
２５  外前垂れ部
２６  内前垂れ部
２８  補強リブ
３０  前挿入口（縦部）
【図１】
2019031343.tif 000003
【図２】
2019031343.tif 000004
【図３】
2019031343.tif 000005
【図４】
2019031343.tif 000006
【図５】
2019031343.tif 000007
【図６】
2019031343.tif 000008
【図７】
2019031343.tif 000009
【図８】
2019031343.tif 000010
【図９】
2019031343.tif 000011
【図１０】
2019031343.tif 000012
【図１１】
2019031343.tif 000013
【図１２】
2019031343.tif 000014
【図１３】
2019031343.tif 000015
【図１４】
2019031343.tif 000016